【手続補正書】
【提出日】平成23年6月30日(2011.6.30)
【手続補正１】
【補正対象書類名】特許請求の範囲
【補正対象項目名】全文
【補正方法】変更
【補正の内容】
【特許請求の範囲】
【請求項１】
無線通信ネットワーク介してデータを無線通信する第１の無線通信装置と、
前記無線通信ネットワークを介して前記第１の無線通信装置とデータを無線通信する第２の無線通信装置と、
を含む無線通信システムにおいて、
前記第１の無線通信装置は、
当該第１の無線通信装置にエラーが発生したときに、当該エラーの種類に応じた信号であって、前記第２の無線通信装置との無線通信を中断するための中断信号を当該第２の無線通信装置に送信する送信手段と、
当該第１の無線通信装置の前記エラーが解除されたときに、当該エラーの解除を前記第２の無線通信装置に通知する通知手段と、を有し、
前記第２の無線通信装置は、
前記第１の無線通信装置とデータを無線通信する通信部と、
前記送信手段により前記第１の無線通信装置から送信された中断信号に応じて、前記通信部による前記第１の無線通信装置との無線通信を中断して、前記通信部による前記第１の無線通信装置からの通知を受信可能な状態で待機する第１の休止モードと、当該通信部の電源を遮断する第２の休止モードとのうちの、当該第１の無線通信装置のエラーの種類に応じた休止モードで待機するように、当該通信部を制御する制御手段と、
前記制御手段により前記通信部が前記第１の休止モードで待機している場合に、前記第１の無線通信装置の前記通知手段によりエラーの解除が通知されたときに、当該通信部により前記第１の無線通信装置に無線通信の再開を要求する第１の要求手段と、
前記制御手段により前記通信部が前記第２の休止モードで待機している場合に、前記通信部の電源を遮断してから所定時間が経過したときに、当該通信部を起動して、当該通信部により前記第１の無線通信装置に無線通信の再開を要求する第２の要求手段と、
を有することを特徴とする無線通信システム。
【請求項２】
前記第１の無線通信装置が有する前記送信手段は、エラーを解除するための時間が予測可能なエラーが前記第１の無線通信装置に発生した場合には、前記第２の無線通信装置の前記通信部が前記第２のモードで待機し、当該時間が予測不可能なエラーが前記第１の無線通信装置に発生した場合には、当該通信部が前記第１のモードで待機するように、前記中断信号を送信することを特徴とする請求項１記載の無線通信システム。
【請求項３】
前記第１の休止モードとは、前記通信部による無線通信が可能であり、前記第２の無線通信装置の無線通信にかかわらない部分は通常よりも消費電力の低い状態に遷移させるモードであることを特徴とする請求項１または２に記載の無線通信システム。
【請求項４】
前記第１の無線通信装置の前記送信手段は、前記第２の無線通信装置の前記通信部が前記第２のモードで待機するように中断信号を送信するときに、前記所定時間を前記第２の無線通信装置に通知し、
前記第２の無線通信装置の第２の要求手段は、前記通信部の電源を遮断してから前記所定時間が経過したときに、前記第１の無線通信装置に無線通信の再開を要求することを特徴とする請求項１乃至３のいずれか１項に記載の無線通信システム。
【請求項５】
無線通信ネットワークを介して第１の無線通信装置とデータを無線通信する無線通信装置であって、
前記第１の無線通信装置とデータを無線通信する通信部と、
前記第１の無線通信装置から送信された、当該第１の無線通信装置で発生したエラーの種類に応じた中断信号に応じて、前記通信部による前記第１の無線通信装置との無線通信を中断して、前記通信部による前記第１の無線通信装置からの通知が受信可能な状態で待機する第１の休止モードと、当該通信部の電源を遮断する第２の休止モードとのうちの、当該エラーの種類に応じた休止モードで待機するように、当該通信部を制御する制御手段と、
前記制御手段により前記通信部が前記第１の休止モードで待機している場合に、前記第１の無線通信装置によりエラーの解除が通知されたときに、当該通信部により前記第１の無線通信装置に無線通信の再開を要求する第１の要求手段と、
前記制御手段により前記通信部が前記第２の休止モードで待機している場合に、前記通信部の電源を遮断してから所定時間が経過したときに、当該通信部を起動して、当該通信部により前記第１の無線通信装置に無線通信の再開を要求する第２の要求手段と、
を有することを特徴とする無線通信装置。
【請求項６】
無線通信ネットワークを介して第１の無線通信装置と第２の無線通信装置とによる無線通信を行わせる無線通信方法であって、
前記第１の無線通信装置でエラーが発生した場合に、前記第２の無線通信装置の通信部による前記第１の無線通信装置との無線通信を中断して、前記通信部が前記第１の無線通信装置からの通知を受信可能な状態で待機する第１の休止モードと、当該通信部の電源を遮断する第２の休止モードとのうちの、当該エラーの種類に応じた休止モードで、当該通信部を待機させ、
前記第２の無線通信装置の前記通信部が前記第１の休止モードで待機している場合に、前記第１の無線通信装置の前記エラーが解除されたときに、当該通信部と前記第１の無線通信装置との無線通信を再開させ、
前記第２の無線通信装置の前記通信部が前記第２の休止モードで待機している場合に、前記通信部の電源を遮断してから所定時間が経過したときに、当該通信部を起動させて、当該通信部と前記第１の無線通信装置との無線通信を再開させることを特徴とする無線通信方法。
【請求項７】
請求項５に記載の無線通信装置の各手段をコンピュータに実現させるためのプログラム。
【手続補正２】
【補正対象書類名】明細書
【補正対象項目名】発明の名称
【補正方法】変更
【補正の内容】
【発明の名称】無線通信システム、無線通信装置、無線通信装置の制御方法、およびプ
【手続補正３】
【補正対象書類名】明細書
【補正対象項目名】０００１
【補正方法】変更
【補正の内容】
【０００１】
本発明は、無線通信ネットワークを介してデータを無線通信する第１の無線通信装置と、前記無線通信ネットワークを介して前記第１の無線通信装置とデータを通信する第２の無線通信装置とを含む無線通信システムに関する。
【手続補正４】
【補正対象書類名】明細書
【補正対象項目名】０００７
【補正方法】変更
【補正の内容】
【０００７】
本発明は、無線通信ネットワーク介してデータを無線通信する第１の無線通信装置と、前記無線通信ネットワークを介して前記第１の無線通信装置とデータを無線通信する第２の無線通信装置と、を含む無線通信システムにおいて、前記第１の無線通信装置は、当該第１の無線通信装置にエラーが発生したときに、当該エラーの種類に応じた信号であって、前記第２の無線通信装置との無線通信を中断するための中断信号を当該第２の無線通信装置に送信する送信手段と、当該第１の無線通信装置の前記エラーが解除されたときに、当該エラーの解除を前記第２の無線通信装置に通知する通知手段と、を有し、前記第２の無線通信装置は、前記第１の無線通信装置とデータを無線通信する通信部と、前記送信手段により前記第１の無線通信装置から送信された中断信号に応じて、前記通信部による前記第１の無線通信装置との無線通信を中断して、前記通信部による前記第１の無線通信装置からの通知を受信可能な状態で待機する第１の休止モードと、当該通信部の電源を遮断する第２の休止モードとのうちの、当該第１の無線通信装置のエラーの種類に応じた休止モードで待機するように、当該通信部を制御する制御手段と、前記制御手段により前記通信部が前記第１の休止モードで待機している場合に、前記第１の無線通信装置の前記通知手段によりエラーの解除が通知されたときに、当該通信部により前記第１の無線通信装置に無線通信の再開を要求する第１の要求手段と、前記制御手段により前記通信部が前記第２の休止モードで待機している場合に、前記通信部の電源を遮断してから所定時間が経過したときに、当該通信部を起動して、当該通信部により前記第１の無線通信装置に無線通信の再開を要求する第２の要求手段と、を有することを特徴とする
【手続補正５】
【補正対象書類名】明細書
【補正対象項目名】０００８
【補正方法】変更
【補正の内容】
【０００８】
本発明によれば、無線通信装置において、当該無線通信装置と無線通信を行う無線通信装置のエラーが発生したときに、当該エラーの種類に応じた適切な休止モードで待機させることができる。